(57)【要約】  本開示の実施形態は情報プロンプトの方法及び装置に関し、該方法は、第一装置の動作状態が変化した場合、第二装置の状態パラメータを取得することと、第二装置の状態パラメータに基づいて、前記第一装置の自身の動作状態が変化したことをプロンプトするためのプロンプト方式を確定することと、前記第一装置が前記プロンプト方式に従って情報プロンプトを行うように制御されることと、を含む。【選択図】図１
2019503090.tif 000002
【特許請求の範囲】
【請求項１】
情報プロンプトの方法であって、
第一装置の動作状態が変化した場合、第二装置の状態パラメータを取得することと、
前記第二装置の状態パラメータに基づいて、前記第一装置の自身の動作状態が変化したことをプロンプトするためのプロンプト方式を確定することと、
前記第一装置が前記プロンプト方式に従って情報プロンプトを行うように制御されることと、を含む、前記情報プロンプトの方法。
【請求項２】
前記状態パラメータは、
前記第二装置の出力音量、
前記第二装置が動作状態にあるかどうかを表すための第一パラメータ、および
前記第二装置の動作状態を表すための第二パラメータのうちの少なくとも１つを含む
請求項１に記載の情報プロンプトの方法。
【請求項３】
前記第二装置の状態パラメータを取得する前、前記方法は、
前記第二装置に、前記第二装置と前記第一装置を関連するように通知するための通知メッセージを送信することと、
前記第二装置が前記通知メッセージに基づいて送信した、前記第二装置の装置識別子を含む関連メッセージを受信することと、
前記装置識別子により、前記第一装置と前記第二装置を関連することと、を更に含む
請求項１又は２に記載の情報プロンプトの方法。
【請求項４】
前記状態パラメータが前記第二装置の出力音量を含む場合、前記第二装置の状態パラメータを取得することは、
前記第二装置が動作状態にあるかどうかを判断することと、
前記第二装置が動作状態にある場合、前記第二装置の出力音量を取得することと、を含む
請求項２に記載の情報プロンプトの方法。
【請求項５】
前記第二装置が動作状態にあるかどうかを判断することは、
前記第二装置が再生データを出力するかどうかを判断し、及び前記第二装置が再生データを出力する場合、前記第二装置が動作状態にあると確定すること、又は、
前記第二装置のリアルタイムデータを採集し、及び前記リアルタイムデータに基づいて、前記第二装置が動作状態にあるかどうかを判断すること、を含む
請求項４に記載の情報プロンプトの方法。
【請求項６】
前記状態パラメータが前記第二装置の出力音量を含む場合、前記第一装置の自身の動作状態が変化したことをプロンプトするためのプロンプト方式を確定することは、
前記第一装置のデフォルトのプロンプト方式の出力音量と前記第二装置の出力音量が所定の条件を満たすかどうかを判断することと、
前記デフォルトのプロンプト方式の出力音量と前記第二装置の出力音量が所定の条件を満たす場合、前記デフォルトのプロンプト方式を前記プロンプト方式として確定することと、
前記デフォルトのプロンプト方式の出力音量と前記第二装置の出力音量が所定の条件を満たさない場合、出力音量と前記第二装置の出力音量が所定の条件を満たす第一プロンプト方式を前記プロンプト方式として確定することと、を含む
請求項２に記載の情報プロンプトの方法。
【請求項７】
前記デフォルトのプロンプト方式の出力音量と前記第二装置の出力音量が前記所定の条件を満たさない場合、出力音量と前記第二装置の出力音量が所定の条件を満たす第一プロンプト方式を前記プロンプト方式として確定することは、
前記デフォルトのプロンプト方式の出力音量が前記第二装置の出力音量より小さい場合、出力音量が前記第二装置の出力音量より大きいか等しい第一プロンプト方式を前記プロンプト方式として確定すること、
又は、
前記デフォルトのプロンプト方式の出力音量が前記第二装置の出力音量より大きい場合、出力音量が前記第二装置の出力音量より小さいか等しい第一プロンプト方式を前記プロンプト方式として確定すること、を含む
請求項６に記載の情報プロンプトの方法。
【請求項８】
前記状態パラメータが前記第一パラメータを含む場合、前記第一装置の自身の動作状態が変化したことをプロンプトするためのプロンプト方式を確定することは、
前記第一パラメータが前記第二装置が動作状態にあることを表すかどうかを判断することと、
前記第一パラメータが前記第二装置が動作状態にあることを表す場合、前記プロンプト方式を確定することと、を含む
請求項２に記載の情報プロンプトの方法。
【請求項９】
前記状態パラメータが前記第二パラメータを含む場合、前記第一装置の自身の動作状態が変化したことをプロンプトするためのプロンプト方式を確定することは、
前記第二パラメータが前記第二装置が所定の動作状態にあることを表すかどうかを判断することと、
前記第二パラメータが前記第二装置が前記所定の動作状態にあることを表す場合、前記プロンプト方式を確定することと、を含む
請求項２に記載の情報プロンプトの方法。
【請求項１０】
前記第一装置が前記プロンプト方式に従って情報プロンプトを行うように制御される後、前記方法は、
前記第二装置の動作状態が終了するかどうかを判断することと、
前記第二装置の動作状態が終了した場合、前記第一装置のプロンプト方式が、情報プロンプトの実行前に設定されたデフォルトプロンプト方式に復帰することと、を更に含む
請求項１に記載の情報プロンプトの方法。
【請求項１１】
情報プロンプトの装置であって、
第一装置の動作状態が変化した場合、第二装置の状態パラメータを取得するように構成される取得モジュールと、
前記取得モジュールによって取得された前記第二装置の状態パラメータに基づいて、前記第一装置の自身の動作状態が変化したことをプロンプトするためのプロンプト方式を確定するように構成される確定モジュールと、
前記第一装置が前記プロンプト方式に従って情報プロンプトを行うように制御されるように構成される制御モジュールと、を備える、前記情報プロンプトの装置。
【請求項１２】
前記状態パラメータは、
前記第二装置の出力音量、
前記第二装置が動作状態にあるかどうかを表すための第一パラメータ、および
前記第二装置の動作状態を表すための第二パラメータのうちの少なくとも１つを含む
請求項１１に記載の情報プロンプトの装置。
【請求項１３】
前記第二装置に、前記第二装置と前記第一装置を関連するように通知するための通知メッセージを送信するように構成される送信モジュールと、
前記第二装置が前記通知メッセージに基づいて送信した、前記第二装置の装置識別子を含む関連メッセージを受信するように構成される受信モジュールと、
前記受信モジュールによって受信された前記装置識別子により、前記第一装置と前記第二装置を関連するように構成される関連モジュールと、を更に備える
請求項１１又は１２に記載の情報プロンプトの装置。
【請求項１４】
前記状態パラメータが前記第二装置の出力音量を含む場合、前記取得モジュールは、
前記第二装置が動作状態にあるかどうかを判断するように構成される第一判断サブモジュールと、
前記第一判断サブモジュールによって前記第二装置が動作状態にあると判断された場合、前記第二装置の出力音量を取得するように構成される取得サブモジュールと、を備える
請求項１２に記載の情報プロンプトの装置。
【請求項１５】
前記第一判断サブモジュールは、
前記第二装置が再生データを出力するかどうかを判断し、及び前記第二装置が再生データを出力する場合、前記第二装置が動作状態にあると確定するように構成される第一確定ユニット、又は、
前記第二装置のリアルタイムデータを採集し、及び前記リアルタイムデータに基づいて、前記第二装置が動作状態にあるかどうかを判断するように構成される判断ユニット、を備える
請求項１４に記載の情報プロンプトの装置。
【請求項１６】
前記状態パラメータが前記第二装置の出力音量を含む場合、前記確定モジュールは、
前記第一装置のデフォルトのプロンプト方式の出力音量と前記第二装置の出力音量が所定の条件を満たすかどうかを判断するように構成される第二判断サブモジュールと、
前記第二判断サブモジュールによって前記デフォルトのプロンプト方式の出力音量と前記第二装置の出力音量が所定の条件を満たすと判断された場合、前記デフォルトのプロンプト方式を前記プロンプト方式として確定するように構成される第一確定サブモジュールと、
前記第二判断サブモジュールによって前記デフォルトのプロンプト方式の出力音量と前記第二装置の出力音量が所定の条件を満たさないと判断された場合、出力音量と前記第二装置の出力音量が所定の条件を満たす第一プロンプト方式を前記プロンプト方式として確定するように構成される第二確定サブモジュールと、を備える
請求項１２に記載の情報プロンプトの装置。
【請求項１７】
前記第二確定サブモジュールは、
前記デフォルトのプロンプト方式の出力音量が前記第二装置の出力音量より小さい場合、出力音量が前記第二装置の出力音量より大きいか等しい第一プロンプト方式を前記プロンプト方式として確定するように構成される第二確定ユニット、
又は、
前記デフォルトのプロンプト方式の出力音量が前記第二装置の出力音量より大きい場合、出力音量が前記第二装置の出力音量より小さいか等しい第一プロンプト方式を前記プロンプト方式として確定するように構成される第三確定ユニット、を備える
請求項１６に記載の情報プロンプトの装置。
【請求項１８】
前記状態パラメータが前記第一パラメータを含む場合、前記確定モジュールは、
前記第一パラメータが前記第二装置が動作状態にあることを表すかどうかを判断するように構成される第三判断サブモジュールと、
前記第三判断サブモジュールによって前記第一パラメータが前記第二装置が動作状態にあることを表すと判断された場合、前記プロンプト方式を確定するように構成される第三確定サブモジュールと、を備える
請求項１２に記載の情報プロンプトの装置。
【請求項１９】
前記状態パラメータが前記第二パラメータを含む場合、前記確定モジュールは、
前記第二パラメータが前記第二装置が所定の動作状態にあることを表すかどうかを判断するように構成される第四判断サブモジュールと、
前記第四判断サブモジュールによって前記第二パラメータが前記第二装置が前記所定の動作状態にあることを表すと判断された場合、前記プロンプト方式を確定するように構成される第四確定サブモジュールと、を備える
請求項１２に記載の情報プロンプトの装置。
【請求項２０】
前記第二装置の動作状態が終了するかどうかを判断するように構成される判断モジュールと、
前記判断モジュールによって前記第二装置の動作状態が終了したと判断された場合、前記第一装置のプロンプト方式が、情報プロンプトの実行前に設定されたデフォルトプロンプト方式に復帰するように構成される処理モジュールと、を更に備える
請求項１１に記載の情報プロンプトの装置。
【請求項２１】
情報プロンプトの装置であって、
プロセッサーと、
プロセッサーが実行可能な命令を格納するためのメモリと、を備え、
前記プロセッサーは、
第一装置の動作状態が変化した場合、第二装置の状態パラメータを取得し、
第二装置の状態パラメータに基づいて、前記第一装置の自身の動作状態が変化したことをプロンプトするためのプロンプト方式を確定し、
前記第一装置が前記プロンプト方式に従って情報プロンプトを行うように制御されるように構成される、前記情報プロンプトの装置。
【発明の詳細な説明】
【技術分野】
【０００１】
本発明は通信分野に関し、特に情報プロンプトの方法及び装置に関する。
［関連出願の相互引用］
本願は、出願番号２０１６１０８６２９６６．５、出願日２０１６年９月２８日の中国特許出願に基づいて提出され、且つ該中国特許出願の優先権を主張し、該中国特許出願のすべての内容が本願において援用される。
【背景技術】
【０００２】
科学技術の発展に伴い、テレビ、携帯電話、タブレットなどのインテリジェント装置がますます増えている。日常生活において、ユーザは同時に複数の装置を使用する必要があり、例えば、テレビを見るとき、携帯電話は着信のためのプロンプトを受信する。
【０００３】
関連技術において、装置Ａが動作し、装置Ｂの動作状態が変化した場合、例えば、非動作状態から動作状態に変化した場合、装置Ａの音量を調整することにより、装置Ｂの動作状態が変化したことをユーザにプロンプトする。例えば、ユーザがテレビを見るとき、携帯電話が着信を受信した場合、テレビを自動にミュートすることにより、ユーザにプロンプトする。
【発明の概要】
【発明が解決しようとする課題】
【０００４】
関連技術の課題を解決するために、本開示の実施形態は情報プロンプトの方法及び装置を提供する。
【課題を解決するための手段】
【０００５】
本開示の実施形態の第一形態によれば、情報プロンプトの方法を提供する。該情報プロンプトの方法は、
第一装置の動作状態が変化した場合、第二装置の状態パラメータを取得することと、
前記第二装置の状態パラメータに基づいて、前記第一装置の自身の動作状態が変化したことをプロンプトするためのプロンプト方式を確定することと、
前記第一装置が前記プロンプト方式に従って情報プロンプトを行うように制御されることと、を含む。
【０００６】
該実施形態において、第一装置の動作状態が変化したと確定した場合、第二装置の状態パラメータに基づいて、第一装置の自身の動作状態が変化したことをプロンプトするためのプロンプト方式を確定することにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるため、ユーザ体験を向上させる。
【０００７】
好ましくは、前記状態パラメータは、
前記第二装置の出力音量（ｏｕｔｐｕｔ  ｖｏｌｕｍｅ）、
前記第二装置が動作状態にあるかどうかを表すための第一パラメータ、および
前記第二装置の動作状態を表すための第二パラメータのうちの少なくとも１つを含む。
【０００８】
該実施形態において、第二装置の異なる出力音量、第二装置が動作状態にあるかどうか又は第二装置の異なる動作状態に対して、異なるプロンプト方式を設定してよく、更に、多種の異なる応用シーンをサポートし、ユーザに対する有効なプロンプトを実現する。
【０００９】
好ましくは、前記第二装置の状態パラメータを取得する前、前記方法は、
前記第二装置に、前記第二装置と前記第一装置を関連するように通知するための通知メッセージを送信することと、
前記第二装置が前記通知メッセージに基づいて送信した、前記第二装置の装置識別子を含む関連メッセージを受信することと、
前記装置識別子により、前記第一装置と前記第二装置を関連することと、を更に含む。
【００１０】
該実施形態において、第一装置は第二装置によって送信された装置識別子に基づいて、第一装置と第二装置を関連させ、該関連方式がより簡単であり、操作しやすい。
【００１１】
好ましくは、前記状態パラメータが前記第二装置の出力音量を含む場合、前記第二装置の状態パラメータを取得することは、
前記第二装置が動作状態にあるかどうかを判断することと、
前記第二装置が動作状態にある場合、前記第二装置の出力音量を取得することと、を含む。
【００１２】
該実施形態において、第二装置が動作状態にある場合にのみ、出力音量の取得を実行するので、第二装置が非動作状態にある場合の出力音量の取得を実行することでリソースを無駄にすることを防止する。
【００１３】
好ましくは、前記第二装置が動作状態にあるかどうかを判断することは、
前記第二装置が再生データを出力するかどうかを判断し、及び前記第二装置が再生データを出力する場合、前記第二装置が動作状態にあると確定すること、又は、
前記第二装置のリアルタイムデータを採集し、及び前記リアルタイムデータに基づいて、前記第二装置が動作状態にあるかどうかを判断すること、を含む。
【００１４】
該実施形態において、多種の異なる方式で第二装置が動作状態にあるかどうかを判断してよく、判断方式がより柔軟になる。
【００１５】
好ましくは、前記状態パラメータが前記第二装置の出力音量を含む場合、前記第一装置の自身の動作状態が変化したことをプロンプトするためのプロンプト方式を確定することは、
前記第一装置のデフォルトのプロンプト方式の出力音量と前記第二装置の出力音量が所定の条件を満たすかどうかを判断することと、
前記デフォルトのプロンプト方式の出力音量と前記第二装置の出力音量が所定の条件を満たす場合、前記デフォルトのプロンプト方式を前記プロンプト方式として確定することと、
前記デフォルトのプロンプト方式の出力音量と前記第二装置の出力音量が所定の条件を満たさない場合、出力音量と前記第二装置の出力音量が所定の条件を満たす第一プロンプト方式を前記プロンプト方式として確定することと、を含む。
【００１６】
該実施形態において、第一装置のデフォルトのプロンプト方式の出力音量と前記第二装置の出力音量が所定の条件を満たす場合、デフォルトのプロンプト方式に従って情報プロンプトを行ってよく、プロンプト方式を変更する必要がなく、リソースを無駄にすることを防止する。
【００１７】
好ましくは、前記デフォルトのプロンプト方式の出力音量と前記第二装置の出力音量が前記所定の条件を満たさない場合、出力音量と前記第二装置の出力音量が所定の条件を満たす第一プロンプト方式を前記プロンプト方式として確定することは、
前記デフォルトのプロンプト方式の出力音量が前記第二装置の出力音量より小さい場合、出力音量が前記第二装置の出力音量より大きいか等しい第一プロンプト方式を前記プロンプト方式として確定すること、
又は、
前記デフォルトのプロンプト方式の出力音量が前記第二装置の出力音量より大きい場合、出力音量が前記第二装置の出力音量より小さいか等しい第一プロンプト方式を前記プロンプト方式として確定すること、を含む。
【００１８】
該実施形態において、状態パラメータが第二装置の出力音量を含む場合、第一装置のデフォルトのプロンプト方式の出力音量と第二装置の出力音量との間の関係により、第一装置のプロンプト方式を柔軟に確定し、異なる応用シーンにおいて、ユーザのニーズによって異なる設定を行ってよく、ユーザ体験を向上させる。
【００１９】
好ましくは、前記状態パラメータが前記第一パラメータを含む場合、前記第一装置の自身の動作状態が変化したことをプロンプトするためのプロンプト方式を確定することは、
前記第一パラメータが前記第二装置が動作状態にあることを表すかどうかを判断することと、
前記第一パラメータが前記第二装置が動作状態にあることを表す場合、前記プロンプト方式を確定することと、を含む。
【００２０】
該実施形態において、第二装置が動作状態にある場合、第一装置のプロンプト方式を確定し、更に、第二装置が動作するかどうかに対するユーザの使用ニーズも満たすことができるため、ユーザ体験を向上させる。
【００２１】
好ましくは、前記状態パラメータが前記第二パラメータを含む場合、前記第一装置の自身の動作状態が変化したことをプロンプトするためのプロンプト方式を確定することは、
前記第二パラメータが前記第二装置が所定の動作状態にあることを表すかどうかを判断することと、
前記第二パラメータが前記第二装置が前記所定の動作状態にあることを表す場合、前記プロンプト方式を確定することと、を含む。
【００２２】
該実施形態において、第二装置が所定の動作状態にある場合、第一装置のプロンプト方式の確定を実行するので、第二装置の特定の動作モードに対するユーザの使用ニーズもさらに満たすことができ、ユーザ体験を向上させる。
【００２３】
好ましくは、前記第一装置が前記プロンプト方式に従って情報プロンプトを行うように制御される後、前記方法は、
前記第二装置の動作状態が終了するかどうかを判断することと、
前記第二装置の動作状態が終了した場合、前記第一装置のプロンプト方式が、情報プロンプトの実行前に設定されたデフォルトプロンプト方式に復帰することと、を更に含む。
【００２４】
該実施形態において、第二装置の動作状態が終了した後、第一装置のプロンプト方式を実行前に設定されたデフォルトプロンプト方式に復帰して、ユーザの通常の使用習慣に適合する。
【００２５】
本開示の実施形態の第二形態によれば、情報プロンプトの装置を提供する。該情報プロンプトの装置は、
第一装置の動作状態が変化した場合、第二装置の状態パラメータを取得するように構成される取得モジュールと、
前記取得モジュールによって取得された前記第二装置の状態パラメータに基づいて、前記第一装置の自身の動作状態が変化したことをプロンプトするためのプロンプト方式を確定するように構成される確定モジュールと、
前記第一装置が前記プロンプト方式に従って情報プロンプトを行うように制御されるように構成される制御モジュールと、を備える。
【００２６】
好ましくは、前記状態パラメータは、
前記第二装置の出力音量、
前記第二装置が動作状態にあるかどうかを表すための第一パラメータ、および
前記第二装置の動作状態を表すための第二パラメータのうちの少なくとも１つを含む。
【００２７】
好ましくは、前記装置は、
前記第二装置に、前記第二装置と前記第一装置を関連するように通知するための通知メッセージを送信するように構成される送信モジュールと、
前記第二装置が前記通知メッセージに基づいて送信した、前記第二装置の装置識別子を含む関連メッセージを受信するように構成される受信モジュールと、
前記受信モジュールによって受信された前記装置識別子により、前記第一装置と前記第二装置を関連するように構成される関連モジュールと、を備える。
【００２８】
好ましくは、前記状態パラメータが前記第二装置の出力音量を含む場合、前記取得モジュールは、
前記第二装置が動作状態にあるかどうかを判断するように構成される第一判断サブモジュールと、
前記第一判断サブモジュールによって前記第二装置が動作状態にあると判断された場合、前記第二装置の出力音量を取得するように構成される取得サブモジュールと、を備える。
【００２９】
好ましくは、前記第一判断サブモジュールは、
前記第二装置が再生データを出力するかどうかを判断し、及び前記第二装置が再生データを出力する場合、前記第二装置が動作状態にあると確定するように構成される第一確定ユニット、又は、
前記第二装置のリアルタイムデータを採集し、及び前記リアルタイムデータに基づいて、前記第二装置が動作状態にあるかどうかを判断するように構成される判断ユニット、を備える。
【００３０】
好ましくは、前記状態パラメータが前記第二装置の出力音量を含む場合、前記確定モジュールは、
前記第一装置のデフォルトのプロンプト方式の出力音量と前記第二装置の出力音量が所定の条件を満たすかどうかを判断するように構成される第二判断サブモジュールと、
前記第二判断サブモジュールによって前記デフォルトのプロンプト方式の出力音量と前記第二装置の出力音量が所定の条件を満たすと判断された場合、前記デフォルトのプロンプト方式を前記プロンプト方式として確定するように構成される第一確定サブモジュールと、
前記第二判断サブモジュールによって前記デフォルトのプロンプト方式の出力音量と前記第二装置の出力音量が所定の条件を満たさないと判断された場合、出力音量と前記第二装置の出力音量が所定の条件を満たす第一プロンプト方式を前記プロンプト方式として確定するように構成される第二確定サブモジュールと、を備える。
【００３１】
好ましくは、前記第二確定サブモジュールは、
前記デフォルトのプロンプト方式の出力音量が前記第二装置の出力音量より小さい場合、出力音量が前記第二装置の出力音量より大きいか等しい第一プロンプト方式を前記プロンプト方式として確定するように構成される第二確定ユニット、
又は、
前記デフォルトのプロンプト方式の出力音量が前記第二装置の出力音量より大きい場合、出力音量が前記第二装置の出力音量より小さいか等しい第一プロンプト方式を前記プロンプト方式として確定するように構成される第三確定ユニット、を備える。
【００３２】
好ましくは、前記状態パラメータが前記第一パラメータを含む場合、前記確定モジュールは、
前記第一パラメータが前記第二装置が動作状態にあることを表すかどうかを判断するように構成される第三判断サブモジュールと、
前記第三判断サブモジュールによって前記第一パラメータが前記第二装置が動作状態にあることを表すと判断された場合、前記プロンプト方式を確定するように構成される第三確定サブモジュールと、を備える。
【００３３】
好ましくは、前記状態パラメータが前記第二パラメータを含む場合、前記確定モジュールは、
前記第二パラメータが前記第二装置が所定の動作状態にあることを表すかどうかを判断するように構成される第四判断サブモジュールと、
前記第四判断サブモジュールによって前記第二パラメータが前記第二装置が前記所定の動作状態にあることを表すと判断された場合、前記プロンプト方式を確定するように構成される第四確定サブモジュールと、を備える。
【００３４】
好ましくは、前記装置は、
前記第二装置の動作状態が終了するかどうかを判断するように構成される判断モジュールと、
前記判断モジュールによって前記第二装置の動作状態が終了したと判断された場合、前記第一装置のプロンプト方式が、情報プロンプトの実行前に設定されたデフォルトプロンプト方式に復帰するように構成される処理モジュールと、を更に備える。
【００３５】
本開示の実施形態の第三形態によれば、情報プロンプトの装置を提供する。該情報プロンプトの装置は、
プロセッサーと、
プロセッサーが実行可能な命令を格納するためのメモリと、を備え、
前記プロセッサーは、
第一装置の動作状態が変化した場合、第二装置の状態パラメータを取得し、
第二装置の状態パラメータに基づいて、前記第一装置の自身の動作状態が変化したことをプロンプトするためのプロンプト方式を確定し、
前記第一装置が前記プロンプト方式に従って情報プロンプトを行うように制御されるように構成される。
【発明の効果】
【００３６】
本開示の実施形態が提供している技術案は以下の効果を有する。
【００３７】
本開示の実施形態によれば、第一装置の動作状態が変化したと確定した場合、第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるため、ユーザ体験を向上させる。
【００３８】
上記の一般的な説明及び下記の細詳細な説明は、例示的および説明的なものに過ぎず、本発明を限定するものではないことを理解すべきである。
【図面の簡単な説明】
【００３９】
【図１】本発明の一例の実施形態により示された情報プロンプトの方法のフローチャートである。
【図２】本発明のもう一例の実施形態により示された情報プロンプトの方法のフローチャートである。
【図３】本発明のまた一例の実施形態により示された情報プロンプトの方法のフローチャートである。
【図４】本発明のまた一例の実施形態により示された情報プロンプトの方法のフローチャートである。
【図５】本発明のまた一例の実施形態により示された情報プロンプトの方法のフローチャートである。
【図６】本発明のまた一例の実施形態により示された情報プロンプトの方法のフローチャートである。
【図７】本発明のまた一例の実施形態により示された情報プロンプトの方法のフローチャートである。
【図８】本発明の一例の実施形態により示された情報プロンプトの装置のブロック図である。
【図９】本発明のもう一例の実施形態により示された情報プロンプトの装置のブロック図である。
【図１０】本発明のまた一例の実施形態により示された情報プロンプトの装置のブロック図である。
【図１１】本発明のまた一例の実施形態により示された情報プロンプトの装置のブロック図である。
【図１２】本発明のまた一例の実施形態により示された情報プロンプトの装置のブロック図である。
【図１３】本発明のまた一例の実施形態により示された情報プロンプトの装置のブロック図である。
【図１４】本発明のまた一例の実施形態により示された情報プロンプトの装置のブロック図である。
【図１５】本発明のまた一例の実施形態により示された情報プロンプトの装置のブロック図である。
【図１６】本発明のまた一例の実施形態により示された情報プロンプトの装置のブロック図である。
【図１７】本発明の一例の実施形態により示された情報プロンプトの装置のブロック図である。
【発明を実施するための形態】
【００４０】
本明細書に組み込まれ、本明細書の一部を構成する添付の図面は、本発明と一致する実施形態を示し、且つ明細書と一緒に本発明の原理を説明する役割を果たす。
【００４１】
ここで、例示的な実施形態に対して詳細に説明し、その例示は図面に示される。下記の説明が図面に示される場合、別段の記載がない限り、異なる図面における同一の数字は同一又は相似の要素を表す。以下の例示的な実施形態において説明された実施方式は本開示の実施形態と一致するすべての実施方式を表すものではない。逆に、それらはただ添付の請求項に記載された、本発明に関連する態様と一致している例示的な装置及び方法の例である。
【００４２】
図１は本発明の一例の実施形態により示された情報プロンプトの方法のフローチャートであり、図１に示すように、本実施形態の情報プロンプトの方法が端末装置に用いられ、該情報プロンプトの方法は以下のステップを含む。
【００４３】
ステップＳ１１：第一装置の動作状態が変化した場合、第二装置の状態パラメータを取得する。
【００４４】
ステップＳ１２：第二装置の状態パラメータに基づいて、第一装置の自身の動作状態が変化したことをプロンプトするためのプロンプト方式を確定する。
【００４５】
ステップＳ１３：第一装置が前記プロンプト方式に従って情報プロンプトを行うように制御される。
【００４６】
ここで、第一装置と第二装置は、移動端末、パーソナルアシスタントデジタル（Ｐｅｒｓｏｎａｌ  Ａｓｓｉｓｔａｎｔ  Ｄｉｇｉｔａｌ：略称ＰＡＤ）、コンピュータ、テレビなどであってよく、レンジフード、ガスコンロ、電気炊飯器などのインテリジェントキッチン装置であってよく、ドアベル、洗濯機などであってもよい。また、第一装置の動作状態が変化したことは、第一装置が非動作状態から動作状態に変化したこと、又は動作状態から非動作状態になることを含み、例えば、移動端末がスタンバイ状態から着信状態になり、洗濯機が動作状態から非動作状態（選択終了）になり、ドアベルが待ち状態から動作状態になることである。
【００４７】
関連技術において、第一装置の動作状態が変化し、かつそのときに第二装置が動作状態にある場合、第二装置の音量情報を調整することにより、ユーザに第一装置の状態が変化したことをプロンプトする目的を達する。しかしながら、第二装置の音量情報を調整するので、第二装置に対するユーザの通常の使用に影響を与える。この問題を解決するために、本開示の実施形態において、第一装置がその自身の動作状態の変化を検出した後、第二装置の状態パラメータを取得し、取得された第二装置の状態パラメータに基づいて、第一装置の自身の動作状態が変化したことをプロンプトするためのプロンプト方式を確定し、第一装置が確定されたプロンプト方式に従ってプロンプトするように制御される。即ち、１つの装置に対して情報プロンプトを行うと共に、他の装置に対するユーザのニーズも満たすことができるので、これにより、第二装置のプロンプト方式を調整して第二装置に対するユーザの通常の使用に影響を与えることを防止し、ユーザ体験を効果的に向上させる。
【００４８】
なお、第一装置と第二装置の数が１つであってよく、複数であってよい。例えば、第一装置は携帯電話とドアベルを含み、第二装置はテレビを含んでもよく、携帯電話とドアベルの動作状態が変化すれば、携帯電話とドアベルがテレビの状態パラメータをそれぞれ取得し、且つ各自により取得されたテレビの状態パラメータに基づいて、自身の動作状態が変化したことをプロンプトするためのプロンプト方式を確定し、自身により確定されたプロンプト方式に従って情報プロンプトを行うように制御される。また、第一装置と第二装置の数について、実際の状況に応じて設置されてよく、第一装置と第二装置の具体の数に対して、ここで、本実施形態は限定しない。
【００４９】
本実施形態の情報プロンプト方法によれば、第一装置の動作状態が変化したと確定した場合、第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるため、ユーザ体験を向上させる。
【００５０】
好ましくは、図１に示すような実施形態に基づいて、状態パラメータは、第二装置の出力音量と、第二装置が動作状態にあるかどうかを表すための第一パラメータと、第二装置の動作状態を表すための第二パラメータと、のうちの少なくとも１つを含む。
【００５１】
具体的に、第一パラメータが第二装置が動作状態にあるかどうかを表してよく、例えば、第二装置がアイロンであり、第一パラメータがアイロンの温度であってよく、アイロンの温度が３０℃より大きい場合、第二装置が動作状態にあることを表す。第二パラメータが第二装置の動作状態を表してよく、例えば、第二パラメータが洗濯機の動作状態を表してよく、例えば、浸し、すすぎ又は脱水などの状態である。
【００５２】
上記に実施形態において、第二装置の出力音量の大きさが異なること、第二装置が動作状態にあるかどうか又は第二装置の動作状態が異なることにより、第一装置に異なる情報プロンプト方式を選択させるように設定してよい。
【００５３】
該実施形態において、第二装置の異なる出力音量、第二装置が動作状態にあるかどうか又は第二装置の異なる動作状態に対して、異なるプロンプト方式を設定してよく、更に、多種の異なる応用シーンをサポートし、ユーザに対する有効なプロンプトを実現する。
【００５４】
図２は本発明のもう一例の実施形態により示された情報プロンプトの方法のフローチャートであり、該方法が端末装置に用いられ、本実施形態が上記の実施形態に基づいて、第二装置の状態パラメータを取得する前に、第一装置と第二装置を関連する実施形態を詳しく説明する。図２に示すように、該情報プロンプトの方法は以下のステップを含む。
【００５５】
ステップＳ２１：第二装置に、第二装置と前記第一装置を関連するように通知するための通知メッセージを送信する。
【００５６】
本実施形態において、第一装置が第二装置に通知メッセージを送信することで、第二装置と第一装置が関連するように通知する。ここで、１つの第一装置が１つの第二装置に通知メッセージを送信してよく、１つの第一装置が同時に複数の第二装置に通知メッセージを送信してよく、複数の第一装置が１つの第二装置に通知メッセージを送信してよく、又は複数の第一装置が同時に複数の第二装置に通知メッセージを送信してよい。即ち、２つの装置を関連させてよく、複数の装置を関連させてよい。
【００５７】
ステップＳ２２：第二装置から前記通知メッセージに基づいて送信された、第二装置の装置識別子を含む関連メッセージを受信する。
【００５８】
本実施形態において、第二装置が第一装置によって送信された通知メッセージを受信した後、自身の装置の識別子を関連メッセージに含んで第一装置に送信する。
【００５９】
ステップＳ２３：装置識別子により、第一装置と第二装置を関連させる。
【００６０】
本実施形態において、第一装置は、受信された識別子に基づいて、第一装置と装置識別子に対応する第二装置とを関連させる。具体的な実現プロセスにおいて、関連形態は、ブルートゥース接続、ワイヤレスフィデリティ（Ｗｉｒｅｌｅｓｓ−Ｆｉｄｅｌｉｔｙ、略称ＷＩＦＩ）接続、ＷＩＦＩホットスポット、ネットワーク信号（例えば４Ｇネットワーク）などを含む。
【００６１】
なお、第一装置と第二装置を関連させる前、第一装置が第二装置と同じシーンにあるかどうか及び、プロンプト方式を自動に調整する必要があるかどうかを判断してよい。例えば、第一装置が携帯電話Ａであり、第二装置が携帯電話Ｂであり、そして携帯電話Ａと携帯電話Ｂがブルートゥース接続の形態によって関連される場合、ブルートゥース接続において、携帯電話Ａと携帯電話Ｂが一定の距離範囲内にある（例えば、１００メートル内にあるなど）と成功に接続できるので、携帯電話端末Ａと携帯電話端末Ｂが同じシーンにあるかどうかを判断する場合には、携帯電話Ａと携帯電話Ｂの間の距離が所定の閾値より小さいかどうかさえ判断すればよく、所定の閾値より小さい場合、同じのシーンにあることを表す。携帯電話Ａと携帯電話ＢがＷＩＦＩ接続の形態によって関連する場合、携帯電話Ａと携帯電話Ｂが同じのＷＩＦＩアカウントにアクセスするかどうかを判断することにより、両方が同じのシーンにあるかどうかを判断し、同じのＷＩＦＩアカウントにアクセスすれば、携帯電話Ａと携帯電話Ｂが同じのシーンにある。携帯電話Ａと携帯電話Ｂがネットワーク信号（例えば４Ｇネットワーク）によって関連する場合、ネットワークリアルタイム衛星測位で携帯電話Ａと携帯電話Ｂの地理位置を取得し、携帯電話Ａと携帯電話Ｂの間の距離が所定の閾値より小さいかどうかを判断することにより、両方が同じのシーンにあるかどうかを判断し、２つの携帯電話端末の間の距離が所定の閾値より小さい場合、携帯電話端末Ａと携帯電話端末Ｂが同じのシーンにある。
【００６２】
ステップＳ２４：第一装置の動作状態が変化した場合、第二装置の状態パラメータを取得する。
【００６３】
ステップＳ２５：第二装置の状態パラメータに基づいて、第一装置の自身の動作状態が変化したことをプロンプトするためのプロンプト方式を確定する。
【００６４】
ステップＳ２６：第一装置がプロンプト方式に従って情報プロンプトを行うように制御される。
【００６５】
本実施形態の情報プロンプト方法によれば、第一装置の動作状態が変化したと確定した場合、第二装置の状態パラメータに基づいて、第一装置の自身の動作状態が変化したことをプロンプトするためのプロンプト方式を確定し、これにより、関連技術に第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができる。また、第一装置は第二装置によって送信された装置識別子に基づいて、第一装置と第二装置を関連させ、該関連方式がより簡単であり、操作しやすい。
【００６６】
図３は本発明のまた一例の実施形態により示された情報プロンプトの方法のフローチャートであり、該方法が端末装置に用いられ、本実施形態が図１の実施形態に基づいて、状態パラメータが第二装置の出力音量を含む場合、第二装置の状態パラメータをどのように取得すること及び第二装置が動作状態にあるかどうかをどのように判断することの実施形態について、詳しく説明し、図３に示すように、該情報プロンプトの方法は以下のステップを含む。
【００６７】
ステップＳ３１：第一装置の動作状態が変化した場合、第二装置が動作状態にあるかどうかを判断する。
【００６８】
本開示の実施形態において、状態パラメータが第二装置の出力音量を含む場合、第二装置が動作状態にあるかどうかを判断することは以下の様々な形態を含んでもよい。
【００６９】
形態一：第二装置が再生データを出力するかどうかを判断し、第二装置が再生データを出力する場合、該第二装置が動作状態にあると確定する。
【００７０】
具体的に、第二装置がオーディオ又はビデオを再生するマルチメディア装置であれば、例えば、テレビ、コンピュータ、携帯電話端末又はプロジェクターである場合、該第二装置が再生データを出力するかどうかを判断することによって動作状態にあるかどうかを判断すればよい。具体的な実現プロセスにおいて、第二装置が再生するファイル名称、ファイルフォーマット、再生持続時間、再生サウンドなどを判断することによって第二装置がオーディオ又はビデオファイルを再生するかどうかを判断する。例えば、再生のファイル名称のキーワードを検索することにより、該名称キーワードが従来の映画、ドラマ又は歌曲の名称キーワードと一致する場合、第二装置が再生データを出力すると判断することにより、第二装置が動作状態にあると判断する。ファイルフォーマットを検索することにより、該ファイルフォーマットがＭＰ３、ＭＰ４、ＡＶＩなどのオーディオフォーマットである場合、第二装置が再生データを出力すると判断することにより、第二装置が動作状態にあると判断する。ファイルの再生持続時間を検索することにより、該再生持続時間が所定の時間帯より大きい場合、第二装置が映画を再生する可能性があり、即ち、第二装置が再生データを出力することにより、第二装置が動作状態にあると判断する。第二装置がサウンドを再生するときの現在の音量値を取得することにより、該現在の音量値がミュートの音量値より大きい場合、第二装置が再生データを出力すると判断することにより、第二装置が動作状態にあると判断する。
【００７１】
また、上記のいずれかの形態を採用して第二装置が再生データを出力するかどうかを判断してよく、複数の形態を組み合わせて第二装置が再生データを出力するかどうかを判断してよく、具体的な判断形態について、本実施形態はここで限定しない。
【００７２】
形態二：第二装置のリアルタイムデータを採集し、該リアルタイムデータに基づいて、第二装置が動作状態にあるかどうかを判断する。
【００７３】
具体的に、第二装置がインテリジェントキッチン装置であり、例えば、レンジフード、ガスコンロ、電気炊飯器又はプレッシャークッカーなどである場合、センサーを介して第二装置のリアルタイムデータを検出して動作状態にあるかどうかを判断する。例えば、レンジフード端末が起動するかどうか又は起動モード（例えば強力モード）を検出することで判断する。
【００７４】
第二装置がインテリジェント家庭用端末であり、例えば、幼児用ベッド、掃除ロボット、アイロン、ルームランナー又は洗濯機である場合、インテリジェント家庭用端末のリアルタイムデータを検出して動作状態にあるかどうかを判断する。例えば、洗濯機の浸し、すすぎ又は脱水の状態、ルームランナーがランニングタスクを実行するときのランニングリズムに基づいて、第二装置が動作状態にあるかどうかを判断する。
【００７５】
ステップＳ３２：第二装置が動作状態にある場合、第二装置の出力音量を取得する。
【００７６】
ステップＳ３３：第二装置の出力音量に基づいて、第一装置の自身の動作状態が変化したことをプロンプトするためのプロンプト方式を確定する。
【００７７】
本開示の実施形態において、第二装置が動作状態にあると判断した場合、第二装置の出力音量を取得し、取得された第二装置の出力音量に基づいて、第一装置の自身の動作状態が変化したことをプロンプトするためのプロンプト方式を確定する。例えば、第一装置が携帯電話であり、第二装置がテレビであり、ユーザがテレビを見るとき、携帯電話が待機状態から着信状態になり、ここで、携帯電話がテレビの出力音量を取得し、且つテレビの出力音量に基づいて、自身のプロンプト方式を確定する。
【００７８】
ステップＳ３４：第一装置がプロンプト方式に従って情報プロンプトを行うように制御される。
【００７９】
本実施形態の情報プロンプト方法について、第一装置の動作状態が変化したと確定した場合、第二装置の出力音量に基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるため、ユーザ体験を向上させる。また、多種の異なる方式で第二装置が動作状態にあるかどうかを判断してよく、判断方式がより柔軟になる。
【００８０】
図４は本発明のまた一例の実施形態により示された情報プロンプトの方法のフローチャートであり、該方法が端末装置に用いられ、本実施形態が図１の実施形態に基づいて、状態パラメータが第二装置の出力音量を含む場合、第一装置の自身の動作状態が変化したことをプロンプトするためのプロンプト方式をどのように確定することの実施形態について、詳しく説明し、図４に示すように、該情報プロンプトの方法は以下のステップを含む。
【００８１】
ステップＳ４１：第一装置の動作状態が変化した場合、第二装置の出力音量を取得する。
【００８２】
ステップＳ４２：第一装置のデフォルトのプロンプト方式の出力音量と第二装置の出力音量が所定の条件を満たすかどうかを判断する。
【００８３】
本開示の実施形態において、所定条件は、例えば、第一装置のデフォルトのプロンプト方式の出力音量が第二装置の出力音量より大きいかどうかである。第一装置は第二装置の出力音量を取得した後、第一装置のデフォルトのプロンプト方式の出力音量と該第二装置の出力音量が所定の条件を満たすかどうかを判断し、満たす場合、ステップＳ４３を実行し、満たさない場合、ステップＳ４４を実行する。
【００８４】
ステップＳ４３：デフォルトのプロンプト方式の出力音量と第二装置の出力音量が所定の条件を満たす場合、デフォルトのプロンプト方式をプロンプト方式として確定する。
【００８５】
本開示の実施形態において、第一装置は、デフォルトのプロンプト方式の出力音量と第二装置の出力音量が所定の条件を満たす場合、デフォルトのプロンプト方式をプロンプト方式として確定する。例えば、第一装置が携帯電話であり、第二装置がテレビであり、ユーザがテレビを見るとき、携帯電話のデフォルトのプロンプト方式の出力音量がテレビの出力音量より大きい場合、即ち、デフォルトのプロンプト方式の出力音量と第二装置の出力音量が所定の条件を満たす場合、デフォルトのプロンプト方式を携帯電話端末のプロンプト方式とする。
【００８６】
ステップＳ４４：デフォルトのプロンプト方式の出力音量と第二装置の出力音量が所定の条件を満たさない場合、出力音量と第二装置の出力音量が所定の条件を満たす第一プロンプト方式をプロンプト方式として確定する。
【００８７】
本開示の実施形態において、第一装置は、デフォルトのプロンプト方式の出力音量と第二装置の出力音量が所定の条件を満たさない場合、出力音量と第二装置の出力音量が所定の条件を満たす第一プロンプト方式をプロンプト方式とする。具体的な実現プロセスにおいて、デフォルトのプロンプト方式の出力音量が第二装置の出力音量より小さい場合、出力音量が第二装置の出力音量より大きいか等しい第一プロンプト方式をプロンプト方式として確定する。例えば、第一装置が携帯電話端末Ａであり、第二装置が携帯電話端末Ｂであり、ユーザが携帯電話端末Ｂで音楽を再生する場合、その出力音量が１０グリッドであり（例えば、携帯電話端末の音量大きさが０グリッドであるミュートから２０グリッドである最大音量に設定され、ここで、１グリッドが１つの単位の音量を表示する）、携帯電話端末Ａが待機状態から着信状態になるとき、携帯電話端末Ａのデフォルトのプロンプト方式の出力音量と携帯電話Ｂの出力音量との大きさを判断してよく、携帯電話端末Ａのデフォルトのプロンプト方式の出力音量が５グリッドである場合、出力音量が１０グリッドより大きいか等しい第一プロンプト方式を、携帯電話端末Ａの自身の動作状態が変化したことをプロンプトするためのプロンプト方式とし、例えば、携帯電話端末Ａのプロンプト方式を１３グリッドを設定することなどである。また、例えば、テレビによって番組が放送される場合、ドアベルが待ち状態から動作状態になり、ここで、ドアベルのデフォルトのプロンプト方式の出力音量がテレビの出力音量より小さい場合、ドアベルの通知音が自動に大きくなることなどである。
【００８８】
また、もう１つの応用シーンにおいて、デフォルトのプロンプト方式の出力音量が第二装置の出力音量より大きい場合、出力音量が第二装置の出力音量より小さいか等しい第一プロンプト方式をプロンプト方式として確定する。例えば、第一装置が携帯電話端末であり、第二装置がプロジェクターであり、オフィスでプロジェクターによってビデオが再生されるとき、携帯電話端末に電話が着信される場合、ここで、携帯電話端末のデフォルトのプロンプト方式の出力音量がプロジェクターの出力音量より大きい場合、携帯電話端末のプロンプト方式をミュート、バイブレーション又はおやすみモードなどを変更してよく、急に携帯電話の着信音などの音により、ユーザ又は他のユーザがビデオ映像を見るときに影響を与えることを防止する。
【００８９】
ステップＳ４５：第一装置がプロンプト方式に従って情報プロンプトを行うように制御される。
【００９０】
本実施形態の情報プロンプト方法について、第一装置の動作状態が変化したと確定した場合、第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるため、ユーザ体験を向上させる。また、状態パラメータが第二装置の出力音量を含む場合、第一装置のデフォルトのプロンプト方式の出力音量と第二装置の出力音量との関係により、第一装置のプロンプト方式を柔軟に確定し、異なる応用シーンで、ユーザの需要によって異なる設定を行い、更にユーザ体験を向上させる。
【００９１】
図５は本発明のまた一例の実施形態により示された情報プロンプトの方法のフローチャートであり、該方法が端末装置に用いられ、本実施形態が図１の実施形態に基づいて、状態パラメータは第一パラメータを含む場合、第一装置の自身の動作状態が変化したことをプロンプトするためのプロンプト方式をどのように確定することの実施形態について、詳しく説明し、図５に示すように、該情報プロンプトの方法は以下のステップを含む。
【００９２】
ステップＳ５１：第一装置の動作状態が変化した場合、第二装置の第一パラメータを取得する。
【００９３】
ここで、第一パラメータは第二装置が動作状態にあるかどうかを表すように用いられる。
【００９４】
ステップＳ５２：第一パラメータが第二装置が動作状態にあることを表すかどうかを判断する。
【００９５】
ステップＳ５３：第一パラメータが第二装置が動作状態にあることを表す場合、第一装置のプロンプト方式を確定する。
【００９６】
本開示の実施形態において、第一パラメータが第二装置が動作状態にあるかどうかを表すように用いられ、第一装置が第一パラメータを取得した後、第一パラメータが第二装置が動作状態にあることを表すかどうかを判断し、第二装置が動作状態にある場合、第一装置のプロンプト方式を確定する。例えば、第二装置が幼児用ベッドであり、幼児用ベッドにインダクタが設置され、インダクタを介してこのときに幼児が寝ているかどうかをわかる。幼児が寝ている場合、幼児用ベッドが動作状態にあると認められる。第一パラメータに基づいて幼児用ベッドが動作状態にあると判断した場合、このときに、携帯電話端末が待機状態から着信状態になると、携帯電話端末の音量を下げる又は携帯電話端末をサイレントモード或いはマナーモードなどに調整する。第二装置がレンジフードである場合、レンジフードが起動するかどうか又は起動モードなどである第一パラメータを取得することにより、ここで、レンジフードが動作状態にあるかどうかをわかる。レンジフードが起動状態にあれば、動作状態にあることを表し、第一パラメータに基づいてレンジフードが動作状態にあると判断した場合、このときに、携帯電話端末が待機状態から着信状態になると、携帯電話端末の音量を上げる。また、第二装置がルームランナーである場合、ルームランナーが起動するかどうか又はランニングリズムなどである第一パラメータを取得することにより、このときに、ルームランナーが動作状態にあるかどうかをわかる。ルームランナーが起動状態にあれば、動作状態にあることを表し、第一パラメータに基づいてルームランナーが動作状態にあると判断した場合、このときに、携帯電話端末が待機状態から着信状態になると、携帯電話端末の音量を上げ、ルームランナーのリズムに従って携帯電話端末の音量を継続に調整し、例えば、ランニングリズムが速いほど、携帯電話端末の音量が大きくなる。
【００９７】
ステップＳ５４：第一装置がプロンプト方式に従って情報プロンプトを行うように制御される。
【００９８】
本実施形態の情報プロンプト方法によれば、第一装置の動作状態が変化したと確定した場合、第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるため、ユーザ体験を向上させる。また、第二装置が動作状態にある場合、第一装置のプロンプト方式を確定し、第二装置が動作するかどうかに対してユーザの使用ニーズも満たすことができるため、ユーザ体験を向上させる。
【００９９】
図６は本発明のまた一例の実施形態により示された情報プロンプトの方法のフローチャートであり、該方法が端末装置に用いられ、本実施形態が図１の実施形態に基づいて、状態パラメータが第二パラメータを含む場合、第一装置の自身の動作状態が変化したことをプロンプトするためのプロンプト方式をどのように確定することの実施形態について、詳しく説明し、図６に示すように、該情報プロンプトの方法は以下のステップを含む。
【０１００】
ステップＳ６１：第一装置の動作状態が変化した場合、第二装置の第二パラメータを取得する。
【０１０１】
ここで、第二パラメータは第二装置の動作状態を表すように用いられる。
【０１０２】
ステップＳ６２：第二パラメータは第二装置が所定の動作状態にあることを表すかどうかを判断する。
【０１０３】
ステップＳ６３：第二パラメータが第二装置が所定の動作状態にあることを表す場合、第一装置のプロンプト方式を確定する。
【０１０４】
本開示の実施形態において、第二パラメータが第二装置の動作状態を表すように用いられ、例えば、第二装置が洗濯機であり、洗濯機が例えば浸し、洗い、すすぎ又は脱水などの多種の動作状態を含み、第二パラメータが洗濯機の具体的な動作状態を表してよい。第一装置が第二パラメータを取得した後、第二パラメータが第二装置が所定の動作状態にあることを表すかどうかを判断する。例えば、洗濯機がすすぎ状態にあるかどうかを判断する。第二装置が所定の動作状態にあると判断した場合、第一装置のプロンプト方式を確定する。例えば、洗濯機が浸し状態にあれば（音なし）、携帯電話が着信する場合、携帯電話端末の音量を８グリッドに調整してよい。洗濯機が洗い状態にあれば（音あり、音がより小さい）、携帯電話が着信する場合、携帯電話端末の音量を１０グリッドに調整してよい。洗濯機がすすぎ状態にあれば（音あり、音が大きくない）、携帯電話が着信する場合、携帯電話端末の音量を１２グリッドに調整してよい。洗濯機が脱水状態にあれば（音あり、音がより大きい）、携帯電話が着信する場合、携帯電話端末の音量を１５グリッドに調整してよい。
【０１０５】
ステップＳ６４：第一装置がプロンプト方式に従って情報プロンプトを行うように制御される。
【０１０６】
本実施形態の情報プロンプト方法によれば、第一装置の動作状態が変化したと確定した場合、第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるので、ユーザ体験を向上させる。また、第二装置が所定の動作状態にある場合、第一装置のプロンプト方式を確定し、第二装置の特定の動作モードに対してユーザの使用ニーズも満たすことができるため、ユーザ体験を向上させる。
【０１０７】
図７は本発明のまた一例の実施形態により示された情報プロンプトの方法のフローチャートであり、該方法が端末装置に用いられ、本実施形態が図１の実施形態に基づいて、第一装置がプロンプト方式に従って情報プロンプトを行うように制御される後、第二装置の動作状態が終了したら、第一装置のプロンプト方式が、情報プロンプトの実行前に設定されたデフォルトプロンプト方式に復帰することの実施形態について、詳しく説明し、図７に示すように、該情報プロンプトの方法は以下のステップを含む。
【０１０８】
ステップＳ７１：第一装置の動作状態が変化した場合、第二装置の状態パラメータを取得する。
【０１０９】
ステップＳ７２：前記第二装置の状態パラメータに基づいて、前記第一装置の自身の動作状態が変化したことをプロンプトするためのプロンプト方式を確定する。
【０１１０】
ステップＳ７３：前記第一装置が前記プロンプト方式に従って情報プロンプトを行うように制御される。
【０１１１】
ステップＳ７４：第二装置の動作状態が終了するかどうかを判断する。
【０１１２】
ステップＳ７５：第二装置の動作状態が終了した場合、第一装置のプロンプト方式が、情報プロンプトの実行前に設定されたデフォルトプロンプト方式に復帰する。
【０１１３】
本実施形態において、第二装置の動作状態が終了することを取得すれば、例えば、オーディオ、ビデオなどのファイルの再生を終了する場合、第一装置のプロンプト方式が情報プロンプトの実行前に設定されたデフォルトプロンプト方式に自動に復帰する。例えば、第一装置が携帯電話端末Ａであり、第二装置がテレビであり、携帯電話端末Ａが着信する場合、ユーザがテレビで番組を見るので、携帯電話端末Ａがテレビの状態パラメータに基づいて、携帯電話端末Ａのプロンプト方式をミュートから１０グリッドの音量に調整し、テレビの動作状態が終了すると判断した後、形態電話Ａが自身のプロンプト方式をミュートに自動に復帰する。
【０１１４】
本実施形態の情報プロンプト方法によれば、第一装置の動作状態が変化したと確定した場合、第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるので、ユーザ体験を向上させる。また、第二装置の動作状態が終了した後、第一装置のプロンプト方式を実行前に設定されたデフォルトプロンプト方式に復帰し、ユーザの通常の使用習慣に適合する。
【０１１５】
以下、本開示の実施形態に基づいて、情報プロンプトの装置を提供し、上記の情報プロンプト方式を実行するように構成される。
【０１１６】
図８は本発明の一例の実施形態により示された情報プロンプトの装置のブロック図であり、図８に示すように、該情報プロンプトの装置は取得モジュール１１と、確定モジュール１２と制御モジュール１３と、を備える。
【０１１７】
取得モジュール１１は、第一装置の動作状態が変化した場合、第二装置の状態パラメータを取得するように構成される。
【０１１８】
確定モジュール１２は、前記取得モジュール１１によって取得された前記第二装置の状態パラメータに基づいて、前記第一装置の自身の動作状態が変化したことをプロンプトするためのプロンプト方式を確定するように構成される。
【０１１９】
制御モジュール１３は、前記第一装置が前記プロンプト方式に従って情報プロンプトを行うように制御されるように構成される。
【０１２０】
該実施形態において、第一装置の動作状態が変化したと確定した場合、確定モジュール１２が第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるので、ユーザ体験を向上させる。
【０１２１】
ここで、前記状態パラメータは、
前記第二装置の出力音量、
前記第二装置が動作状態にあるかどうかを表すための第一パラメータ、および
前記第二装置の動作状態を表すための第二パラメータのうちの少なくとも１つを含む。
【０１２２】
該実施形態において、第二装置の異なる出力音量、第二装置が動作状態にあるかどうか又は第二装置の異なる動作状態に対して、異なるプロンプト方式を設定してよく、更に、多種の異なる応用シーンをサポートし、ユーザに対する有効なプロンプトを実現する。
【０１２３】
ここで、図９に示すように、図９は本発明のもう一例の実施形態により示された情報プロンプトの装置のブロック図であり、図８に示した実施形態に基づいて、前記装置は送信モジュール１４と、受信モジュール１５と、関連モジュール１６と、をさらに備える。
【０１２４】
送信モジュール１４は、前記第二装置に、前記第二装置と前記第一装置を関連するように通知するための通知メッセージを送信するように構成される。
【０１２５】
受信モジュール１５は、前記第二装置が前記通知メッセージに基づいて送信した、前記第二装置の装置識別子を含む関連メッセージを受信するように構成される。
【０１２６】
関連モジュール１６は、前記受信モジュール１５によって受信された前記装置識別子により、前記第一装置と前記第二装置を関連するように構成される。
【０１２７】
該実施形態において、第一装置は第二装置によって送信された装置識別子に基づいて、第一装置と第二装置を関連させ、該関連方式がより簡単であり、操作しやすい。
【０１２８】
ここで、図１０に示すように、図１０は本発明のまた一例の実施形態により示された情報プロンプトの装置のブロック図であり、図８に示した実施形態に基づいて、前記状態パラメータが前記第二装置の出力音量を含む場合、前記取得モジュール１１は第一判断サブモジュール１１１と取得サブモジュール１１２を備える。
【０１２９】
第一判断サブモジュール１１１は、前記第二装置が動作状態にあるかどうかを判断するように構成される。
【０１３０】
取得サブモジュール１１２は、前記第一判断サブモジュール１１１によって前記第二装置が動作状態にあると判断された場合、前記第二装置の出力音量を取得するように構成される。
【０１３１】
該実施形態において、第二装置が動作状態にある場合、出力音量の取得を実行するので、第二装置が非動作状態にある場合に出力音量の取得を実行することでリソースを無駄にすることを防止する。
【０１３２】
ここで、図１１に示すように、図１１は本発明のまた一例の実施形態により示された情報プロンプトの装置のブロック図であり、図１０に示した実施形態に基づいて、前記第一判断サブモジュール１１１は第一確定ユニット１１１１又は判断ユニット１１１２を備える。
【０１３３】
第一確定ユニット１１１１は、前記第二装置が再生データを出力するかどうかを判断し、及び前記第二装置が再生データを出力する場合、前記第二装置が動作状態にあると確定するように構成される、又は、
判断ユニット１１１２は、前記第二装置のリアルタイムデータを採集し、及び前記リアルタイムデータに基づいて、前記第二装置が動作状態にあるかどうかを判断するように構成される。
【０１３４】
該実施形態において、多種の異なる方式によって第二装置が動作状態にあるかどうかを判断してよく、判断方式がより柔軟になる。
【０１３５】
ここで、図１２に示すように、図１２は本発明のまた一例の実施形態により示された情報プロンプトの装置のブロック図であり、図８に示した実施形態に基づいて、前記状態パラメータが前記第二装置の出力音量を含む場合、前記確定モジュール１２は、第二判断サブモジュール１２１と、第一確定サブモジュール１２２と、第二確定サブモジュール１２３と、を備える。
【０１３６】
第二判断サブモジュール１２１は、前記第一装置のデフォルトのプロンプト方式の出力音量と前記第二装置の出力音量が所定の条件を満たすかどうかを判断するように構成される。
【０１３７】
第一確定サブモジュール１２２は、前記第二判断サブモジュール１２１によって前記デフォルトのプロンプト方式の出力音量と前記第二装置の出力音量が所定の条件を満たすと判断された場合、前記デフォルトのプロンプト方式を前記プロンプト方式として確定するように構成される。
【０１３８】
第二確定サブモジュール１２３は、前記第二判断サブモジュール１２１によって前記デフォルトのプロンプト方式の出力音量と前記第二装置の出力音量が所定の条件を満たさないと判断された場合、出力音量と前記第二装置の出力音量が所定の条件を満たす第一プロンプト方式を前記プロンプト方式として確定するように構成される。
【０１３９】
該実施形態において、第一装置のデフォルトのプロンプト方式の出力音量と前記第二装置の出力音量が所定の条件を満たす場合、デフォルトのプロンプト方式に従って情報プロンプトを行ってよく、プロンプト方式を変更する必要がなく、リソースを無駄にすることを防止する。
【０１４０】
ここで、図１３に示すように、図１３は本発明のまた一例の実施形態により示された情報プロンプトの装置のブロック図であり、図１２に示した実施形態に基づいて、前記第二確定サブモジュール１２３は、第二確定ユニット１２３１又は第三確定ユニット１２３２を備える。
【０１４１】
第二確定ユニット１２３１は、前記デフォルトのプロンプト方式の出力音量が前記第二装置の出力音量より小さい場合、出力音量が前記第二装置の出力音量より大きいか等しい第一プロンプト方式を前記プロンプト方式として確定するように構成される、
又は、
第三確定ユニット１２３２は、前記デフォルトのプロンプト方式の出力音量が前記第二装置の出力音量より大きい場合、出力音量が前記第二装置の出力音量より小さいか等しい第一プロンプト方式を前記プロンプト方式として確定するように構成される。
【０１４２】
該実施形態において、状態パラメータが第二装置の出力音量を含む場合、第一装置のデフォルトのプロンプト方式の出力音量と第二装置の出力音量との間の関係により、第一装置のプロンプト方式を柔軟に確定し、異なる応用シーンにおいて、ユーザの需要によって異なる設定を行ってよく、ユーザ体験を向上させる。
【０１４３】
ここで、図１４に示すように、図１４は本発明のまた一例の実施形態により示された情報プロンプトの装置のブロック図であり、図８に示した実施形態に基づいて、前記状態パラメータが前記第一パラメータを含む場合、前記確定モジュール１２は、第三判断サブモジュール１２４と、第三確定サブモジュール１２５と、を備える。
【０１４４】
第三判断サブモジュール１２４は、前記第一パラメータが前記第二装置が動作状態にあることを表すかどうかを判断するように構成される。
【０１４５】
第三確定サブモジュール１２５は、前記第三判断サブモジュールによって前記第一パラメータが前記第二装置が動作状態にあることを表すと判断された場合、前記プロンプト方式を確定するように構成される。
【０１４６】
該実施形態において、第二装置が動作状態にある場合、第一装置のプロンプト方式を確定し、更に、第二装置が動作するかどうかに対するユーザの使用ニーズも満たすことができるため、ユーザ体験を向上させる。
【０１４７】
ここで、図１５に示すように、図１５は本発明のまた一例の実施形態により示された情報プロンプトの装置のブロック図であり、図８に示した実施形態に基づいて、前記状態パラメータが前記第二パラメータを含む場合、前記確定モジュール１２は、第四判断サブモジュール１２６と、第四確定サブモジュール１２７と、を備える。
【０１４８】
第四判断サブモジュール１２６は、前記第二パラメータが前記第二装置が所定の動作状態にあることを表すかどうかを判断するように構成される。
【０１４９】
第四確定サブモジュール１２７は、前記第四判断サブモジュール１２６によって前記第二パラメータが前記第二装置が前記所定の動作状態にあることを表すと判断された場合、前記プロンプト方式を確定するように構成される。
【０１５０】
該実施形態において、第二装置が所定の動作状態にある場合、第一装置のプロンプト方式の確定を実行し、更に、第二装置の特定の動作モードに対するユーザの使用ニーズも満たすことができるため、ユーザ体験を向上させる。
【０１５１】
ここで、図１６に示すように、図１６は本発明のまた一例の実施形態により示された情報プロンプトの装置のブロック図であり、図８に示した実施形態に基づいて、前記装置は、判断モジュール１７と、処理モジュール１８と、をさらに備える。
【０１５２】
判断モジュール１７は、前記第二装置の動作状態が終了するかどうかを判断するように構成される。
【０１５３】
処理モジュール１８は、前記判断モジュールによって前記第二装置の動作状態が終了したと判断された場合、前記第一装置のプロンプト方式が、情報プロンプトの実行前に設定されたデフォルトプロンプト方式に復帰するように構成される。
【０１５４】
該実施形態において、第二装置の動作状態が終了した後、第一装置のプロンプト方式を実行前に設定されたデフォルトプロンプト方式に復帰し、ユーザの通常の使用習慣に適合する。
【０１５５】
上述の実施形態における装置について、各モジュールが操作を実行する具体的な方式は、該方法に関する実施形態に詳細に説明されるので、ここでは、詳細な説明を省略する。
【０１５６】
本開示の実施形態は情報プロンプトの装置を更に提供し、該情報プロンプトの装置は、
プロセッサーと、
プロセッサーが実行可能な命令を格納するためのメモリと、を備え、
前記プロセッサーは、
第一装置の動作状態が変化した場合、第二装置の状態パラメータを取得し、
第二装置の状態パラメータに基づいて、前記第一装置の自身の動作状態が変化したことをプロンプトするためのプロンプト方式を確定し、
前記第一装置が前記プロンプト方式に従って情報プロンプトを行うように制御されるように構成される。
【０１５７】
該実施形態において、第一装置の動作状態が変化したと確定した場合、第二装置の状態パラメータに基づいて、第一装置の自身の動作状態が変化したことをプロンプトするためのプロンプト方式を確定し、これにより、関連技術における第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるので、ユーザ体験を向上させる。
【０１５８】
図１７は本発明の一例の実施形態により示された情報プロンプトの装置のブロック図である。例えば、装置８００はモバイルフォン、コンピュータ、デジタル放送端末、情報送受信デバイス、ゲームコントロール、タブレットデバイス、医療デバイス、トレーニングデバイス、個人デジタルアシスタントなどであってもよい。
【０１５９】
図１７を参照して、装置８００は、処理コンポーネント８０２、メモリ８０４、電源コンポーネント８０６、マルチメディアコンポーネント８０８、オーディオコンポーネント８１０、入力／出力（Ｉ／Ｏ）インタフェース８１２と、センサーコンポーネント８１４と、通信コンポーネント８１６のうちの一つ或いは複数を含んでも良い。
【０１６０】
処理コンポーネント８０２は通常に装置８００の全体操作を制御し、例えば、表示、電話コール、データ通信、カメラ操作と記録操作に関する操作である。処理コンポーネント８０２は一つ或いは複数のプロセッサ８２０を含んで命令を実行することで、上述した方法の全部又は一部のステップを完成する。また、処理コンポーネント８０２は一つ或いは複数のモジュールを含むことで、処理コンポーネント８０２と他のモジュールはインタラクトする。例えば、処理コンポーネント８０２はマルチメディアコンポーネントを含み、マルチメディアコンポーネント８０８と処理コンポーネント８０２とのインタラクトは便利になる。
【０１６１】
メモリ８０４は各種のデータを記憶することで、装置８００の操作をサポートするように構成される。上記のデータの例示は、装置８００に操作されるいかなるアプリケーション又は方法の命令、連絡先データ、電話帳データ、メッセージ、写真、ビデオなどがある。メモリ８０４はいかなる揮発性メモリ或いは不揮発性メモリ或いは両者の結合により実現され、例えば、スタティックランダムアクセスメモリ（ＳＲＡＭ）、電気消去可能プログラマブルロム（ＥＥＰＲＯＭ）、消去可能プログラマブルロム（ＥＰＲＯＭ）、プログラマブルロム（ＰＲＯＭ）、ロム（ＲＯＭ）、磁気メモリ、フラッシュメモリ、ディスク或いは光ディスクである。
【０１６２】
電源コンポーネント８０６は装置８００の各モジュールに電力を提供する。電源コンポーネント８０６は、電源管理システム、一つ或いは複数の電源及び他の装置８００に電力を生成、制御、分配するための関連モジュールを含む。
【０１６３】
マルチメディア８０８は前記装置８００とユーザの間に出力インタフェースを提供するスクリーンを含む。ある実施形態において、スクリーンは液晶ディスプレー（ＬＣＤ）とタッチパネル（ＴＰ）を含む。スクリーンはタッチパネルを含む場合、スクリーンがタッチスクリーンとして実現され、ユーザから入力された信号を受信する。タッチパネルは一つ或いは複数のタッチセンサーを含むことで、タッチ、スライドとタッチパネルにおけるジェスチャーを検知する。前記タッチセンサーはタッチ又はフライドという動作の境界を検知するだけではなく、前記タッチ又はスライド操作に関する継続時間と圧力も検知する。ある実施形態において、マルチメディア８０８は一つのフロントカメラ及び／又はバックカメラを備える。装置８００は操作モードにあるとき、例えば撮影モード或いはビデオモードにあるとき、フロントカメラ及び／又はバックカメラは外部からのマルチメディアデータを受信する。各フロントカメラとバックカメラは固定の光学レンズシステムであり、或いは焦点距離と光学ズームを有する。
【０１６４】
オーディオコンポーネント８１０はオーディオ信号を出力及び／又は入力するように構成される。例えば、オーディオコンポーネント８１０は一つのマイク（ＭＩＣ）を備え、装置８００が操作モード、例えばコールモード、記録モードと音声識別モードにあるとき、マイクが外部のオーディオ信号を受信するように構成される。受信されたオーディオ信号はメモリ８０４に更に記憶される或いは通信コンポーネント８１６によって送信される。ある実施形態において、オーディオコンポーネント８１０は一つのスピーカーを備え、オーディオ信号を出力するように構成される。
【０１６５】
Ｉ／Ｏインタフェース８１２は処理コンポーネント８０２と外部インタフェースモジュールにインタフェースを提供し、上記の外部インタフェースモジュールは、キーボード、クリックディフェクト、ボタンなどである。これらのボタンはホームページボタン、音量ボタン、スタートボタンとロックボタンを含むが、それらに限られない。
【０１６６】
センサーコンポーネント８１４は一つ或いは複数のセンサーを備え、装置８００に各面の状態の評価を提供するように構成される。例えば、センサーコンポーネント８１４は装置８００のオン／オフ状態、モジュールの相対位置が検出でき、例えば、前記モジュールは装置８００のディスプレーとキーパッドである。センサーコンポーネント８１４は、装置８００或いは装置８００の一つのモジュールの位置変化、ユーザが装置８００に接触するかどうか、装置８００の方位或いは加速／減速と装置８００の温度変化について更に検出することができる。センサーコンポーネント８１４は近接センサーを更に備え、物理的な接触が完全にない場合、付近の物体を検出するように構成される。センサーコンポーネント８１４は光センサーを更に備え、例えばＣＭＯＳ或いはＣＣＤ画像センサーであり、画像形成応用に使用するように構成される。ある実施形態において、該センサー８１４は加速度センサーと、ジャイロセンサーと、磁気センサーと、圧力センサー或いは温度センサーを更に備える。
【０１６７】
通信コンポーネント８１６は、装置８００と他のデバイスの間に有線或いは無線の方式で通信するように構成される。装置８００は通信標準に基づく無線ネットにアクセスし、例えばＷｉＦｉ、２Ｇ或いは３Ｇ或いはそれらの結合である。ある例示の実施形態において、通信コンポーネント８１６は放送チャネルを通して外部からの放送管理システムの放送信号或いは放送関連情報を受信する。ある例示の実施形態において、前記通信コンポーネント８１６は近距離無線通信（ＮＦＣ）モジュールを備え、短距離通信を促進する。例えば、ＮＦＣモジュールはラジオフリークエンシーアイデンティフィケーション（ＲＦＩＤ）技術、赤外線データ協会（ＩｒＤＡ）技術、超広帯域無線（ＵＷＢ）技術、ブルートゥース（ＢＴ）技術と他の技術に基づいて実現される。
【０１６８】
例示的な実施形態において、装置８００は一つ或いは複数の応用専用集積回路（ＡＳＩＣ）、デジタルシグナルプロセッサ（ＤＳＰ）、デジタルシグナルプロセスディバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ或いは他の電子部品によって実現され、上記の方法を実行するように構成される。
【０１６９】
例示的な実施形態において、命令を含む非一時的なコンピュータ可読な記憶媒体を更に提供し、例えば命令を含むメモリ８０４であり、上記の命令が装置８００のプロセッサ８２０が実行されて上記の方法を完成する。例えば、前記非一時的なコンピュータ可読な記憶媒体はＲＯＭ、ランダムアクセスメモリ（ＲＡＭ）、ＣＤ−ＲＯＭ、磁気テープ、ディスクと光データ記憶デバイスなどである。
【０１７０】
非一時的なコンピュータ可読な記憶媒体であって、前記記憶媒体に含まれる命令が移動端末のプロセッサーによって実行される場合、移動端末が情報プロンプトの方法を実行させ、前記方法は、
第一装置の動作状態が変化した場合、第二装置の状態パラメータを取得することと、
前記第二装置の状態パラメータに基づいて、前記第一装置の自身の動作状態が変化したことをプロンプトするためのプロンプト方式を確定することと、
前記第一装置が前記プロンプト方式に従って情報プロンプトを行うように制御されることと、を含む。
【０１７１】
当業者は、明細書を考慮して本発明に開示された実施形態を実施した後、本開示の実施形態のほかの実施形態を容易に想到し得る。本願は本開示の実施形態のいかなる変形、用途或いは適応性的な変化を含むことを旨とし、これらの変形、用途或いは適応性的な変化は、本開示の一般性原理を従ったものであり、且つ本開示の実施形態は開示されていない本技術分野の公知常識或いは慣用技術手段を含む。明細書と実施形態は例示的なものであり、本開示の本当の範囲と趣旨は以下の特許請求の範囲により記載される。
【０１７２】
なお、本開示の実施形態は上記説明された且つ図面に示した精確な構造に限定されるものではなく、且つ本発明の範囲を逸脱しない限り、他の様々な修正及び変形ができる。本開示の範囲は、添付した特許請求の範囲のみによって限定されるものとする。
【産業上の利用可能性】
【０１７３】
本開示の実施形態において、第一装置の動作状態が変化したと確定した場合、第二装置の状態パラメータに基づいて、第一装置の自身の動作状態が変化したことをプロンプトするためのプロンプト方式を確定し、これにより、関連技術おける第二装置のプロンプト方式を調整することでユーザの第二装置への通常の使用に影響を与える問題を回避することができ、更に、１つの装置に情報プロンプトを行うと共に、他の装置へのユーザの使用ニーズも満たすことができるので、ユーザ体験を向上させる。
【図１】
2019503090.tif 000003
【図２】
2019503090.tif 000004
【図３】
2019503090.tif 000005
【図４】
2019503090.tif 000006
【図５】
2019503090.tif 000007
【図６】
2019503090.tif 000008
【図７】
2019503090.tif 000009
【図８】
2019503090.tif 000010
【図９】
2019503090.tif 000011
【図１０】
2019503090.tif 000012
【図１１】
2019503090.tif 000013
【図１２】
2019503090.tif 000014
【図１３】
2019503090.tif 000015
【図１４】
2019503090.tif 000016
【図１５】
2019503090.tif 000017
【図１６】
2019503090.tif 000018
【図１７】
2019503090.tif 000019
【国際調査報告】
2019503090.tif 000020
2019503090.tif 000021
2019503090.tif 000022
2019503090.tif 000023